(57)【要約】【課題】パンフレット等と、ポケットティッシュ等とを一緒に整然と収納することにより、消費者にすっきりとした印象を与え、目に付きやすく、持ち帰りやすくすることにより、広告宣伝効果を向上させる広告宣伝物収納容器を提供する。【解決手段】長方形状の底板１１と、この底板１１の両側縁に立設する側板１２、１２と、上記底板１１の前面に立設する正面板１３と、上記底板１１の後方に立設する背板１４と、上記正面板１３と上記背板１４との間に介在されて、第１室１６、第２室１７を区画するとともに後方に傾斜してなる仕切り板１５とを備えてなる容器本体１であって、上記背板１４は、上記第２室１７より上方に突出するとともに、後方側に傾斜して立設されており、上記側板１２、１２にあっては、上記仕切り板１５の近傍にテーパー面１２ａが形成されており、上記第１室１６は、上記第２室１７の収納容積より大に形成されている。【選択図】図１
2006171048.tif 000002
【特許請求の範囲】
【請求項１】
長方形状の底板と、この底板の両側縁に立設する側板と、上記底板の前面に立設する正面板と、上記底板の後方に立設する背板と、上記正面板と上記背板との間に介在されて、第１室、第２室を区画するとともに後方に傾斜してなる仕切り板とを備えてなる容器本体であって、
上記背板は、上記第２室より上方に突出するとともに、後方側に傾斜して立設されており、
上記側板にあっては、
上記仕切り板の近傍にテーパー面が形成されており、
上記第１室は、
上記第２室の収納容積より大に形成されていること
を特徴とする広告宣伝物収納容器。
【請求項２】
上記第１室には、
ポケットティッシュが収納され、
上記第２室には、
パンフレット、小型のリーフレット等の広告宣伝物が収納されること
を特徴とする請求項１に記載の広告宣伝物収納容器。
【請求項３】
上記広告宣伝物収納容器は、
ポリプロピレン、ポリエチレン等の熱可塑性樹脂により一体成形されること
を特徴とする請求項１あるいは請求項２いずれか１項に記載の広告宣伝物収納容器。
【請求項４】
上記底板は、
上記背板下端面より後方側に突出するとともに、その突出部により上記容器本体が後方に倒れるのを阻止すること
を特徴とする請求項１乃至３のいずれか１項に記載の広告宣伝物収納容器。
【発明の詳細な説明】
【技術分野】
【０００１】
本発明は、主として、パンフレット、小型のリーフレット等の広告宣伝物と、ポケットティッシュ等の広告宣伝物とを一緒に整然と収納するのに最適で、かつ、広告宣伝効果を向上させた広告宣伝物収納容器に関する。
【背景技術】
【０００２】
従来、銀行等の金融機関、飲食店、英会話教室、パソコン教室においては、広告宣伝のために自己の社名、電話番号等を印刷したパンフレット、ポケットティッシュ等の広告宣伝物が多用されており、これら広告宣伝物は、店内において消費者等に無料で配布されている。
【０００３】
ところで、パンフレットやポケットティッシュ等の広告宣伝物は、店内において、例えば、銀行にあっては窓口付近において、また、飲食店等にあってはレジ横付近において、更には、英会話教室にあっては適宜テーブル上に雑然と積み重ねられて置かれている。
【０００４】
そのため、これら広告宣伝物は、散逸したり、あるいは、消費者の目に付きにくく、更には、これら広告宣伝物は取りづらいため、費用対効果において十分な広告宣伝効果を上げることができなかった。
【０００５】
また、パンフレット等の広告宣伝物を収納するためのパンフレット立てが特許文献１に開示されている。
【０００６】
これは、縦長形状で２つ折りにしたパンフレット等を整然と収納するためのもので、これにあっては、パンフレットを段違いに収納するように構成されており、消費者にとってパンフレットを取りやすい等の利便性を有している。しかし、この特許文献１のパンフレット立てによれば、パンフレットを収納することのみを目的としており、ポケットティッシュを整然と収納することについては、全く意図していない。
【０００７】
【特許文献１】特開平９−５０２３７号公報
【発明の開示】
【発明が解決しようとする課題】
【０００８】
この発明は、このような事情に鑑みてなされたもので、その目的とするところは、パンフレット、小型のリーフレット等の広告宣伝物と、ポケットティッシュ等の広告宣伝物とを一緒に整然と収納することにより、消費者にすっきりとした印象を与え、パンフレット等やポケットティッシュ等を目に付きやすく、取りやすくすることにより、広告宣伝効果を向上させる広告宣伝物収納容器を提供することにある。
【課題を解決するための手段】
【０００９】
上記目的を達成するために、本発明に係る広告宣伝物収納容器は、長方形状の底板と、この底板の両側縁に立設する側板と、上記底板の前面に立設する正面板と、上記底板の後方に立設する背板と、上記正面板と上記背板との間に介在されて、第１室、第２室を区画するとともに後方に傾斜してなる仕切り板とを備えてなる容器本体であって、上記背板は、上記第２室より上方に突出するとともに、後方側に傾斜して立設されており、上記側板にあっては、上記仕切り板の近傍にテーパー面が形成されており、上記第１室は、上記第２室の収納容積より大に形成されていることを特徴とする。
【００１０】
また、本発明に係る広告宣伝物収納容器においては、第１室に、ポケットティッシュが収納され、第２室には、パンフレット、小型のリーフレット等の広告宣伝物が収納されることが好ましい。
【００１１】
また、本発明に係る広告宣伝物収納容器は、ポリプロピレン、ポリエチレン等の熱可塑性樹脂により一体成形されるようにするのが好ましい。
【００１２】
また、上記底板は、上記背板下端面より後方側に突出するとともに、その突出部により上記容器本体が後方に倒れるのを阻止するように設定されるのが好ましい。
【発明の効果】
【００１３】
本発明は、上記したように、第１室は、第２室の収納容積より大に形成し、第１室にポケットティッシュ等の厚みのある広告宣伝物を整然と収納できるようにした。これにより、パンフレット、小型のリーフレット等の広告宣伝物と、ポケットティッシュ等の広告宣伝物とを一緒に整然と収納することができるとともに、消費者にすっきりとした印象を与え、目に付きやすく、取りやすくすることができるので、その結果、広告宣伝効果を向上させることができる。
【００１４】
また、仕切り板も背板も、後方側に傾斜して立設されているので、第１室に収納されたポケットティッシュ等も、第２室に収納されたパンフレット等も消費者の目に付きやすくなり、その結果、広告宣伝効果を向上させることができる。
【発明を実施するための最良の形態】
【００１５】
以下本発明を図面に示す実施例に基づいて説明する。図１は、本発明の広告宣伝物収納容器の使用例を示す斜視図であり、図２は、図１に示す本発明に係る広告宣伝物収納容器のＡ−Ａ’断面図である。
【００１６】
本発明に係る広告宣伝物収納容器は、底板１１、側板１２、１２、正面板１３、背板１４及び仕切り板１５とから容器本体１が構成されている。
【００１７】
底板１１は、長方形状に形成されているとともに、この底板１１の前面側には、正面板１３が立設されており、かつ、この底板１１の両側縁には、側板１２、１２が立設されている。
【００１８】
底板１１の後方側には、背板１４が立設されているとともに、この背板１４は、縦長長方形状に形成され、かつ、この背板１４は、後方側に傾斜して立設されている。
【００１９】
仕切り板１５は、正面板１３と背板１４との間に介在して立設されているとともに、この仕切り板１５により、ポケットティッシュＴ等を収納するための第１室１６と、パンフレットＰ等を収納するための第２室１７に区画している。
【００２０】
この仕切り板１５は、後方側に傾斜して立設されているとともに、上記第１室１６は、第２室１７より収納容積が大となるように設定されている。
【００２１】
上記側板１２、１２は、上記仕切り板１５の近傍において、テーパー面１２ａ、１２ａが形成されており、第１室１６側の側板１２、１２は、その高さｈ１が低く、第２室１７側の側板１２、１２は、その高さｈ２が高く設定されている。これにより、ポケットティッシュＴ等が取り出しやすく、また、縦長状のパンフレットＰ等が収納しやすく設定されている。
【００２２】
上記底板１１は、図２に示すように、背板１４下端面の後方側に突出するとともに、その突出部１１ａにより上記容器本体１が倒れるのを阻止している。
【００２３】
すなわち、上記第２室１７内にパンフレット等を収納した場合、その重さにより、上記容器本体１が後方にひっくり返るおそれがあるが、上記底板１１の突出部１１ａによりその倒れるのを阻止することができる。
【００２４】
また、本発明に係る広告宣伝収納容器は、木材、金属により構成することもできるが、ポリプロピレン、ポリエチレン等の熱可塑性樹脂を用いれば、これにより一体成形できるので、この広告宣伝収納容器を低コストで製造できる。
【００２５】
上記したように、本発明に係る広告宣伝収納容器は、第１室１６は、第２室１７の収納容積より大に形成し、第１室１６にポケットティッシュＴ等の厚みのある広告宣伝物を整然と収納できるようにした。これにより、パンフレット、小型のリーフレット等の広告宣伝物と、ポケットティッシュ等の広告宣伝物とを一緒に整然と収納することができるともに、消費者にすっきりとした印象を与え、目に付きやすく、取りやすくすることができるので、その結果、広告宣伝効果を向上させることができる。
【００２６】
また、仕切り板１５も背板１４も、後方側に傾斜して立設されているので、第１室１６に収納されたポケットティッシュＴも、第２室１７に収納されたパンフレットＰも消費者の目に付きやすくなり、その結果、広告宣伝効果を向上させることができる。
【図面の簡単な説明】
【００２７】
【図１】本発明の広告宣伝物収納容器の使用例を示す斜視図である。
【図２】図１に示す本発明に係る広告宣伝物収納容器のＡ−Ａ’断面図である。
【符号の説明】
【００２８】
１      容器本体
１１    底板
１１ａ  突出部
１２    側板
１２ａ  テーパー面
１３    正面板
１４    背板
１５    仕切り板
１６    第１室
１７    第２室
Ｐ      パンフレット
Ｔ      ポケットティッシュ
【図１】
2006171048.tif 000003
【図２】
2006171048.tif 000004